(57)【特許請求の範囲】
【請求項１】
基材と、該基材上に形成された触媒コーティング層を有する排ガス浄化触媒であって、
前記触媒コーティング層は、前記触媒の排ガス上流側の端部から前記基材の全長の４０〜６０％までの範囲を占める排ガス上流側の領域と、前記触媒コーティング層の残りの範囲である下流側の領域とで異なる組成を有し、
前記上流側の領域は、担体と、前記担体に担持された少なくともＰｔまたはＰｄを含む貴金属触媒と、パイロクロア型の規則配列構造を有するセリア−ジルコニア系複合酸化物とを含有し、
前記下流側の領域は、担体と、前記担体に担持された少なくともＲｈを含む貴金属触媒とを含有し、
前記セリア−ジルコニア系複合酸化物は、プラセオジム、ランタンおよびイットリウムからなる群から選択される少なくとも１種の追加元素を、全陽イオン合計量に対して０．５〜５．０モル％含有し、かつ（セリウム＋前記追加元素）：（ジルコニウム）のモル比が４３：５７〜４８：５２の範囲内である、前記排ガス浄化触媒。
【請求項２】
前記セリア−ジルコニア系複合酸化物が含有する追加元素がプラセオジムである、請求項１に記載の排ガス浄化触媒。
【請求項３】
前記上流側の領域が、セリア−ジルコニア系複合酸化物を基材容量に対して１〜２０ｇ／Ｌの量で含有する、請求項１または２に記載の排ガス浄化触媒。
【発明の詳細な説明】
【技術分野】
【０００１】
本発明は排ガス浄化触媒に関する。より詳しくは、所定の追加元素を含むパイロクロア型セリア−ジルコニア系複合酸化物を、触媒コーティングの排ガス上流側の領域に含有することを特徴とする排ガス浄化触媒に関する。
【背景技術】
【０００２】
自動車などの内燃機関から排出される排ガスには、一酸化炭素（ＣＯ）、窒素酸化物（ＮＯｘ）、未燃の炭化水素（ＨＣ）などの有害ガスが含まれている。そのような有害ガスを分解する排ガス浄化触媒（いわゆる三元触媒）には、酸素貯蔵能（ＯＳＣ：Oxygen Storage Capacity）を有する助触媒としてセリア−ジルコニア複合酸化物などが用いられる。酸素貯蔵能を有する物質（ＯＳＣ材）は、酸素を吸放出することによりミクロな空間で空燃比（Ａ／Ｆ）を制御し、排ガス組成変動に伴う浄化率の低下を抑制する効果を有する。
【０００３】
排ガス浄化触媒の浄化性能の向上のために、ＯＳＣ材には、Ａ／Ｆ変動による急激な雰囲気変動に対応するための酸素吸放出速度と、長時間にわたって酸素吸放出能を維持するための酸素貯蔵容量の両方が求められる。この要求に対し、例えば特許文献１では、貴金属が担持されてなく、パイロクロア相型の規則配列構造を有する第１酸素吸放出材と、前記第１酸素吸放出材と比較して酸素吸放出速度が高くて酸素吸放出容量が低い第２酸素吸放出材とを含有し、第２酸素吸放出材に白金族貴金属が担持されており、耐久後であっても高いＮＯｘ浄化性能を発揮することができる排ガス浄化用触媒が提案されている。
【０００４】
一方、排ガス雰囲気が酸素過剰のリーン雰囲気でＮＯｘを吸蔵し、吸蔵されたＮＯｘを、排ガス雰囲気をストイキ〜水素等の還元成分過剰なリッチ雰囲気に変化させることにより放出し、これを貴金属の作用によりＨＣやＣＯ等の還元成分と反応させて還元し浄化するＮＯｘ吸蔵還元型の浄化触媒において、金属同士の固溶体化による触媒活性の低下の問題に鑑み、例えばＰｔとＲｈを異なる層に含ませた上下２層の触媒層が設けられた触媒が提案されている（特許文献２および３）。
【先行技術文献】
【特許文献】
【０００５】
【特許文献１】特開２０１２−０２４７０１号公報
【特許文献２】特開２０１０−２０１２８４号公報
【特許文献３】特開２００９−２８５６０４号公報
【発明の概要】
【発明が解決しようとする課題】
【０００６】
近年、スタートアップ触媒（Ｓ／Ｃ、スタートアップコンバータなどとも称される）とアンダーフロア触媒（ＵＦ／Ｃ、アンダーフロアコンバータ、床下触媒などとも称される）を組み合わせた二触媒からなる排ガス浄化システムが多く採用されている。そのような二触媒システムにおいては、Ｓ／Ｃは内燃機関の直下に取り付けられるため高温の排ガスに晒されるが、ＵＦ／ＣはＳ／Ｃの下流に設けられるため、流入する排ガスの濃度は薄く、その温度も比較的低くなり、機能発現に必要となる温度が高かった従来のＯＳＣ材では十分な酸素吸放出機能を発揮することが難しかった。また、ＵＦ／ＣにはＳ／Ｃが劣化や故障などにより十分に機能しなくなった場合には、それ単独で十分な排ガス浄化能を発揮することも求められる。特にＵＦ／Ｃにおいては、酸素吸放出機能とＮＯｘ浄化性能は背反する性能であり、従来材料では両立が困難であった。そこで、本発明は酸素吸放出機能とＮＯｘ浄化性能を両立した高性能な排ガス浄化触媒を提供することを目的とする。
【課題を解決するための手段】
【０００７】
本発明者らは上述したような問題を検討した結果、新たに開発した、所定の追加元素を含むパイロクロア型セリア−ジルコニア系複合酸化物を、触媒コーティングの排ガス上流側の領域に含有させることにより、酸素吸放出機能とＮＯｘ浄化性能を両立した高性能な排ガス浄化触媒を提供可能であることを見出した。本発明の要旨は以下のとおりである。
【０００８】
（１）基材と、該基材上に形成された触媒コーティング層を有する排ガス浄化触媒であって、
前記触媒コーティング層は、前記触媒の排ガス上流側の端部から前記基材の全長の４０〜６０％までの範囲を占める排ガス上流側の領域と、前記触媒コーティング層の残りの範囲である下流側の領域とで異なる組成を有し、
前記上流側の領域は、担体と、前記担体に担持された少なくともＰｔまたはＰｄを含む貴金属触媒と、パイロクロア型の規則配列構造を有するセリア−ジルコニア系複合酸化物とを含有し、
前記下流側の領域は、担体と、前記担体に担持された少なくともＲｈを含む貴金属触媒とを含有し、
前記セリア−ジルコニア系複合酸化物は、プラセオジム、ランタンおよびイットリウムからなる群から選択される少なくとも１種の追加元素を、全陽イオン合計量に対して０．５〜５．０モル％含有し、かつ（セリウム＋前記追加元素）：（ジルコニウム）のモル比が４３：５７〜４８：５２の範囲内である、前記排ガス浄化触媒。
（２）前記セリア−ジルコニア系複合酸化物が含有する追加元素がプラセオジムである、（１）に記載の排ガス浄化触媒。
（３）前記上流側の領域が、セリア−ジルコニア系複合酸化物を基材容量に対して１〜２０ｇ／Ｌの量で含有する、（１）または（２）に記載の排ガス浄化触媒。
【発明の効果】
【０００９】
本発明の排ガス浄化触媒によれば、所定の追加元素を含むパイロクロア型セリア−ジルコニア系複合酸化物を触媒コーティングの排ガス上流側の領域に含有させたことにより、触媒内における雰囲気変動を緩和して下流側の領域に含有されるＲｈの劣化を抑制することにより、高い酸素吸放出機能とＮＯｘ浄化率を両立することが可能となる。
【図面の簡単な説明】
【００１０】
【図１】本発明の排ガス浄化触媒の触媒コーティング層の構造の一態様を示す模式的な断面図である。
【図２】Ｐｒ添加パイロクロアＺＣのＦｒ−Ｐｔ層への添加量とＲｒ−Ｒｈ層のＲｈ粒子のＤ９０粒子径の関係を示すグラフである。
【図３】Ｐｒ添加パイロクロアＺＣのＦｒ−Ｐｔ層への添加量と触媒からの酸素吸放出量の関係を示すグラフである。
【図４】Ｐｒ添加パイロクロアＺＣのＦｒ−Ｐｔ層への添加量と触媒からのＮＯｘ排出量の関係を示すグラフである。
【発明を実施するための形態】
【００１１】
本発明の排ガス浄化触媒は、基材と、該基材上に形成された触媒コーティング層を有し、前記触媒コーティング層が、排ガス上流側の領域と下流側の領域とで異なる組成を有し、該上流側の領域に、プラセオジム（Ｐｒ）、ランタン（Ｌａ）およびイットリウム（Ｙ）からなる群から選択される少なくとも１種の追加元素を有し、かつパイロクロア型の規則配列構造を有するセリア−ジルコニア系複合酸化物を含有することを特徴とする。
【００１２】
（触媒コーティング層の上流側の領域に含まれるセリア−ジルコニア系複合酸化物）
本発明の排ガス浄化触媒の触媒コーティング層の上流側の領域に含まれるセリア−ジルコニア系複合酸化物は、パイロクロア型の規則配列構造を有し、プラセオジム、ランタンおよびイットリウムからなる群から選択される少なくとも１種の追加元素を、全陽イオン合計量に対して０．５〜５．０モル％、より好ましくは１．０〜３．０モル％含有し、かつ（セリウム＋前記追加元素）：（ジルコニウム）のモル比が４３：５７〜４８：５２の範囲内であることを特徴とする。
【００１３】
該セリア−ジルコニア系複合酸化物は、本発明者らが開発した新規なＯＳＣ材であり、熱による劣化が抑制されているとともに、約４００℃という低温から十分な酸素吸放出能を発揮できるという特徴を有する。また、酸素吸放出容量が大きい一方で酸素吸放出速度は比較的遅い、比表面積および嵩密度がいずれも低いという特徴も併せ持つ。該セリア−ジルコニア系複合酸化物の比表面積は、吸着等温線からＢＥＴ等温吸着式を用いて算出したＢＥＴ比表面積が０．１〜２ｍ２／ｇの範囲、特に０．２〜１ｍ２／ｇの範囲であることが好ましい。
【００１４】
ここで、一般に、セリア−ジルコニア系複合酸化物において「パイロクロア型の規則配列構造を有する」とは、セリウムイオンとジルコニウムイオンとによるパイロクロア型の規則配列構造を有する結晶相（パイロクロア相）が構成されていることを意味する。パイロクロア相の配列構造は、ＣｕＫαを用いたＸ線回折パターンの２θ角が１４．５°、２８°、３７°、４４．５°及び５１°の位置にそれぞれピークを有することにより特定することができる。ここで、「ピーク」とは、ベースラインからピークトップまでの高さが３０ｃｐｓ以上のものをいう。また、回折線強度を求める際には、各回折線強度の値から、バックグラウンド値として２θ＝１０〜１２゜の平均回折線強度を差し引いて計算する。
【００１５】
パイロクロア型の規則配列構造を有するセリア−ジルコニア系複合酸化物において、Ｘ線回折パターンのピーク強度比により求められる全結晶相に対するパイロクロア型に規則配列した結晶相の含有比率は５０％以上、特に８０％以上であることが好ましい。パイロクロア型の規則配列構造を有するセリア−ジルコニア系複合酸化物の調製方法は当業者に公知である。
【００１６】
セリア−ジルコニア系複合酸化物のパイロクロア相（Ｃｅ２Ｚｒ２Ｏ７）は酸素欠陥サイトを有し、そのサイトに酸素原子が入り込むとパイロクロア相はκ相（Ｃｅ２Ｚｒ２Ｏ８）に相変化する。一方、κ相は酸素原子を放出することによりパイロクロア相に相変化することができる。セリア−ジルコニア複合酸化物の酸素貯蔵能は、パイロクロア相とκ相との間で相互に相変化して酸素を吸放出することによるものである。
【００１７】
セリア−ジルコニア系複合酸化物の結晶相のＣｕＫαを用いたＸ線回折（ＸＲＤ）測定において、２θ＝１４．５°の回折線は規則相（κ相）の（１１１）面に帰属する回折線であり、２θ＝２９°の回折線は規則相の（２２２）面に帰属する回折線とパイロクロア相を有しないセリア−ジルコニア固溶体の（１１１）面に帰属する回折線とが重なったものであるため、両者の回折線の強度比であるＩ（１４／２９）値を規則相の存在率を示す指標とすることができる。また、２θ＝２８．５゜の回折線はＣｅＯ２単体の（１１１）面に帰属する回折線であるため、２θ＝２８．５゜の回折線と２θ＝２９゜の回折線の強度比であるＩ（２８／２９）値を、複合酸化物からＣｅＯ２が分相している程度を示す指標とすることができる。なお、κ相のＰＤＦカード（ＰＤＦ２：０１−０７０−４０４８）およびパイロクロア相のＰＤＦカード（ＰＤＦ２：０１−０７５−２６９４）に基づき、完全なκ相のＩ（１４／２９）値は０．０４、完全なパイロクロア相のＩ（１４／２９）値は０．０５と計算することができる。
【００１８】
本発明で用いるパイロクロア型セリア−ジルコニア系複合酸化物が、プラセオジム、ランタンおよびイットリウムからなる群から選択される少なくとも１種の追加元素を含有することにより上述したような特性を有するようになる理由は、以下のように推察される。プラセオジムは、式：Ｐｒ６Ｏ１１→３Ｐｒ２Ｏ３＋Ｏ２で表される還元反応のΔＧ（ギブズの自由エネルギー）が負であるため、ΔＧが正である、式：２ＣｅＯ２→Ｃｅ２Ｏ３＋０．５Ｏ２で表されるＣｅＯ２の還元反応を起こりやすくするものと考えられる。また、ランタンおよびイットリウムは＋３価が安定であるため、電荷補償の原理により結晶内の酸素欠陥を安定させるものと考えられる。
【００１９】
本発明で用いるパイロクロア型セリア−ジルコニア系複合酸化物の耐久性は、大気中、１１００℃の温度条件で５時間加熱後、ＣｕΚαを用いたＸ線回折測定により得られるＩ（１４／２９）値が０．０２以上であり、かつＩ（２８／２９）値が０．０８以下であることにより特徴づけることができる。
【００２０】
（触媒コーティング層の上流側の領域）
本発明の排ガス浄化触媒において、触媒コーティング層の上流側の領域は貴金属触媒としてＰｔまたはＰｄを含む。貴金属触媒は、Ｐｔのみ、Ｐｄのみ、またはＰｔとＰｄの混合物のみからなっていてもよい。ＰｔおよびＰｄは主としてＣＯおよびＨＣの酸化浄化に寄与する。貴金属触媒は担体に担持された状態で含まれている。担体は、特に限定されず、一般に触媒担体として用いられる任意の金属酸化物、例えばアルミナ（Ａｌ２Ｏ３）、セリア（ＣｅＯ２）、ジルコニア（ＺｒＯ２）、シリカ（ＳｉＯ２）、チタニア（ＴｉＯ２）またはそれらの組み合わせなどを用いることができる。触媒コーティング層の上流側の領域のＰｔまたはＰｄを含む貴金属触媒の担体としてはアルミナが好ましい。アルミナ担体はランタナ添加アルミナ担体であってもよい。
【００２１】
触媒コーティング層の上流側の領域には、上述のとおりプラセオジム（Ｐｒ）、ランタン（Ｌａ）およびイットリウム（Ｙ）からなる群から選択される少なくとも１種の追加元素を有し、かつパイロクロア型の規則配列構造を有するセリア−ジルコニア系複合酸化物が含まれる。該セリア−ジルコニア系複合酸化物は、その特性を十分発揮させるためには、基材容量に対して１ｇ／Ｌ以上、特に２ｇ／Ｌ以上、とりわけ３ｇ／Ｌ以上の量で触媒コーティング層の上流側の領域に含まれることが好ましい。触媒に流入する排ガスに最初に接触する上流側の領域に該セリア−ジルコニア系複合酸化物が含まれていることにより、該セリア−ジルコニア系複合酸化物の特性が表れやすくなり、下流側の領域に含まれるＲｈへのダメージ低減効果も大きくなる。なお、該セリア−ジルコニア系複合酸化物は、その使用量と効果のバランスの観点から、基材容量に対して２０ｇ／Ｌ以下、特に１５ｇ／Ｌ以下、とりわけ１０ｇ／Ｌ以下の量で触媒コーティング層の上流側の領域に含まれることが好ましい。典型的には、該セリア−ジルコニア系複合酸化物は基材容量に対して１〜２０ｇ／Ｌの量で触媒コーティング層の上流側の領域に含まれることが好ましい。
【００２２】
触媒コーティング層の上流側の領域には、さらに、ＯＳＣ材として、セリア−ジルコニア複合酸化物、特にセリアに対するジルコニア含有量が多いセリア−ジルコニア複合酸化物（ＺＣ）が含まれていることが好ましい。ここで「セリアに対するジルコニア含有量が多い」とは、複合酸化物に含まれるジルコニアの重量比がセリアの重量比よりも高いことを意味する。ＺＣ材におけるセリア：ジルコニアの存在比は、重量比で１：１．１〜１：５、特に１：１．５〜１：３の範囲であることが好ましい。ＺＣ材は、ＣＺ材と比較して酸素吸放出効率が高く、貴金属活性に与える影響も小さいという特性を有する。
【００２３】
（触媒コーティング層の下流側の領域）
本発明の排ガス浄化触媒において、触媒コーティング層の下流側の領域は貴金属触媒としてＲｈを含み、さらにＰｔまたはＰｄを含んでいてもよい。貴金属触媒は、Ｒｈのみ、ＲｈとＰｔの混合物のみ、ＲｈとＰｄの混合物のみ、あるいはＲｈとＰｔとＰｄの混合物のみからなっていてもよい。Ｒｈは主としてＮＯｘの還元浄化に寄与する。上流側の領域と同様に、貴金属触媒は担体に担持された状態で含まれている。担体は、例えばアルミナ（Ａｌ２Ｏ３）、ジルコニア（ＺｒＯ２）、シリカ（ＳｉＯ２）、チタニア（ＴｉＯ２）またはそれらの組み合わせなどを用いることができる。触媒コーティング層の下流側の領域のＲｈを含む貴金属触媒の担体としては、比熱が小さく暖まりやすいジルコニアが好ましい。また、担体とは別に耐熱性の高いアルミナを触媒コーティング層に混合することで、触媒コーティング層の耐久性を向上させることができる。
【００２４】
（基材および触媒コーティング）
本発明の排ガス浄化触媒に用いる基材は、特に限定されず、一般的に用いられている多数のセルを有するハニカム形状の材料を使用することができ、その材質としては、コージェライト（２ＭｇＯ・２Ａｌ２Ｏ３・５ＳｉＯ２）、アルミナ、ジルコニア、炭化ケイ素などの耐熱性を有するセラミックス材料や、ステンレス鋼などの金属箔からなるメタル材料が挙げられる。基材への触媒コーティング層の形成は、公知の手法により、例えば、各材料を蒸留水およびバインダーに懸濁して調製したスラリーを基材に流し込み、ブロアーで不要分を吹き払うなどして行うことができる。
【００２５】
図１は、本発明の排ガス浄化触媒の触媒コーティング層の構造の一態様を示す模式的な断面図である。これまで述べたとおり、本発明の排ガス浄化触媒の触媒コーティング層は、排ガス上流側の領域と下流側の領域とに分かれており、それぞれ異なる組成を有する。上流側の領域には、上述のとおり所定の追加元素を含むパイロクロア型セリア−ジルコニア系複合酸化物が含有されている。大容量の酸素貯蔵容量を有する該セリア−ジルコニア系複合酸化物は、触媒内のリッチ−リーン間の雰囲気変動を緩和し、下流側の領域に含有されるＲｈの劣化を抑制する。触媒コーティング層の上流側の領域は、触媒の排ガス上流側の端部から前記基材の全長の４０〜６０％までの範囲、特に４５〜５５％までの範囲（図１中のａ）を占めるものであり、下流側の領域は触媒コーティング層のその他の残りの範囲（図１中のｂ）であることが好ましい。
【００２６】
（本発明の排ガス浄化触媒の特性）
本発明の排ガス浄化触媒は、スタートアップ触媒（Ｓ／Ｃ）とアンダーフロア触媒（ＵＦ／Ｃ）を組み合わせた二触媒システムにおいて、ＵＦ／Ｃとして用いるのに特に適している。本発明の排ガス浄化触媒は、所定の追加元素を含むパイロクロア型セリア−ジルコニア系複合酸化物を触媒コーティング層の上流側の領域に含むことにより、低温でも十分な酸素貯蔵能を発揮し、触媒内のリッチ−リーン間の雰囲気変動を緩和し、下流側の領域に含有されるＲｈの劣化を抑制する。その結果、ＵＦ／Ｃとして設置した際でも、高い排ガス浄化性能を発揮することができる。
【実施例】
【００２７】
以下、実施例を用いて本発明をより詳細に説明するが、本発明はこれら実施例に限定されるものではない。
【００２８】
１．Ｐｒ添加パイロクロアＺＣの調製
まず、ＣｅＯ２換算で２８質量％の硝酸セリウム水溶液４４２ｇと、ＺｒＯ２換算で１８質量％のオキシ硝酸ジルコニウム水溶液５９０ｇと、Ｐｒ６Ｏ１１換算で１．２ｇとなる量の硝酸プラセオジムを含む水溶液１００ｇと、含有されるセリウムの１．１倍モル量の過酸化水素を含む水溶液１９７ｇとを、中和当量に対して１．２倍当量のアンモニアを含有する水溶液１２１７ｇに添加し、共沈物を生成し、得られた共沈物を遠心分離し、イオン交換水で洗浄した。得られた共沈物を１１０℃で１０時間以上乾燥した後、４００℃で５時間大気中にて焼成してセリウムとジルコニウムとプラセオジムとの固溶体（ＣｅＯ２−ＺｒＯ２−Ｐｒ６Ｏ１１固溶体）を得た。得られた固溶体を粉砕機（商品名：ワンダーブレンダー、アズワン社製）を用いて篩で粒径が７５μｍ以下となるように粉砕して、セリア−ジルコニア−プラセオジミア固溶体粉末を得た。
【００２９】
次に、得られた固溶体粉末２０ｇを、ポリエチレン製のバッグ（容量０．０５Ｌ）に詰め、内部を脱気した後、前記バッグの口を加熱してシールした。続いて、静水圧プレス装置（商品名：ＣＫ４−２２−６０、日機装社製）を用いて、前記バッグに対して静水圧プレス（ＣＩＰ）を２０００ｋｇｆ／ｃｍ２の圧力（成型圧力）で１分間行って成型し、セリア−ジルコニア−プラセオジミア固溶体粉末の成型体を得た。成型体のサイズは、縦４ｃｍ、横４ｃｍ、平均厚み７ｍｍ、重量約２０ｇとした。
【００３０】
次いで、得られた成型体（２枚）を、活性炭７０ｇを充填した坩堝（内容積：直径８ｃｍ、高さ７ｃｍ）内に配置し、蓋をした後、高速昇温電気炉に入れ、昇温時間１時間で１０００℃まで加熱した後、昇温時間４時間で１７００℃（還元処理温度）まで加熱して５時間保持し、その後冷却時間４時間で１０００℃まで冷却した後、自然放冷で室温まで冷却して還元処理品を得た。得られた還元処理品を大気中、５００℃の温度条件で５時間加熱して酸化し、複合酸化物におけるセリウムとジルコニウムとプラセオジムとの含有比率が、セリウム：ジルコニウム：プラセオジムのモル比で４５：５４：１である、プラセオジム添加パイロクロア型セリア−ジルコニア系複合酸化物（Ｐｒ添加パイロクロアＺＣ）を得た。得られたＰｒ添加パイロクロアＺＣは篩で７５μｍ以下に粉砕した。
【００３１】
得られたＰｒ添加パイロクロアＺＣを、大気中１１００℃で５時間加熱した後（高温耐久試験）、パイロクロア構造が維持されているかどうかを確認するため、処理後の結晶相をＸ線回折法により測定した。Ｘ線回折装置として理学電機社製の商品名（ＲＩＮＴ−２１００）を用い、ＣｕＫα線、４０ＫＶ、３０ｍＡ、２θ＝２゜／分の条件でＸ線回折パターンを測定し、Ｉ（１４／２９）値及びＩ（２８／２９）値を求めた。
【００３２】
上記と同様にして、セリウム：ジルコニウム：プラセオジムのモル比が異なるＡ〜ＥのＰｒ添加パイロクロアＺＣを調製し、高温耐久試験の後、Ｘ線回折パターンを測定してＩ（１４／２９）値及びＩ（２８／２９）値を求めた。表１に結果をまとめた。
【００３３】
【表１】
0006034356.tif 000002
【００３４】
２．触媒の調製
（１）比較例１
（ａ）Ｆｒ−Ｐｔ層（Ｐｔ（０．２）／Ａｌ２Ｏ３（２５）＋ＺＣ（３０））
１質量％のＬａ２Ｏ３を含有するＡｌ２Ｏ３担体と硝酸白金とを用い、含浸法によりＡｌ２Ｏ３に担持されたＰｔ材料（材料１）を調製した。次に、材料１、セリウム：ジルコニウムのモル比が４６：５４であるセリア−ジルコニア複合酸化物（ＺＣ）およびＡｌ２Ｏ３系バインダーを蒸留水に撹拌しながら加えて懸濁し、スラリー１を調製した。
【００３５】
コージェライト製のハニカム構造基材にスラリー１を流し込み、ブロアーで吸引して、基材壁面をコーティングした。コーティングは、基材の排ガス流れ方向の上流側（Ｆｒ側）から行い、上流側の端から基材の全長の５０％までの範囲に形成されるようにした（図１参照、ａ＝５０％）。また、コーティングには、基材容量に対して材料１が２５ｇ／Ｌ（うちＰｔが０．２ｇ／Ｌ）およびＺＣが３０ｇ／Ｌ含まれるようにした。コーティング後、１２０℃の乾燥機で２時間水分を除去した後、５００℃の電気炉で２時間の焼成を行った。
【００３６】
（ｂ）Ｒｒ−Ｒｈ層（Ｒｈ（０．１２）／ＺｒＯ２（４０）＋Ａｌ２Ｏ３（２０））
ＺｒＯ２担体と硝酸ロジウムとを用い、含浸法によりＺｒＯ２に担持されたＲｈ／ＺｒＯ２材料（材料２）を調製した。次に、材料２、Ａｌ２Ｏ３およびＡｌ２Ｏ３系バインダーを蒸留水に撹拌しながら加えて懸濁し、スラリー２を調製した。
【００３７】
上記（ａ）によりコーティングを施したハニカム構造基材にスラリー２を流し込み、ブロアーで吸引して、基材壁面をコーティングした。コーティングは、基材の排ガス流れ方向の下流側（Ｒｒ側）から行い、下流側の端から基材の全長の５０％までの範囲に形成されるようにした（図１参照、ｂ＝５０％）。また、コーティングには、基材容量に対して材料２が４０ｇ／Ｌ（うちＲｈが０．１２ｇ／Ｌ）およびＡｌ２Ｏ３が２０ｇ／Ｌ含まれるようにした。コーティング後、１２０℃の乾燥機で２時間水分を除去した後、５００℃の電気炉で２時間の焼成を行った。
【００３８】
（２）実施例１〜４
スラリー１の調製時に、さらにセリウム：ジルコニウム：プラセオジムのモル比が４５：５４：１であるＰｒ添加パイロクロアＺＣ（表１のＡ）を添加した以外は、比較例１と同様にして触媒を調製した。コーティングにおけるＰｒ添加パイロクロアＺＣの含有量は、基材容量に対して、実施例１で５ｇ／Ｌ、実施例２で１０ｇ／Ｌ、実施例３で１５ｇ／Ｌおよび実施例４で２０ｇ／Ｌとなるようにした。
【００３９】
表２に、実施例１〜４および比較例１の触媒におけるＦｒ−Ｐｔ層およびＲｒ−Ｒｈ層のそれぞれの構成をまとめた。
【００４０】
【表２】
0006034356.tif 000003
【００４１】
３．評価
（１）耐久試験
触媒をＶ型８気筒４．３Ｌガソリンエンジンの排気系に装着し、触媒床温９５０℃で、１分間にフィードバック、フューエルカット、リッチ、リーンを含む条件で５０時間の耐久試験を施した。
（２）Ｒｈ粒子径評価
ＣＯパルス吸着法により、耐久試験後のＲｒ−Ｒｈ層に含まれるＲｈの粒子径Ｄ９０（粒度分布における累積質量が９０％となる粒子径）を算出した。
（３）酸素吸放出能評価
耐久試験後の触媒をエンジンに取り付け、入りガス温度を４００℃に設定し、入りガス雰囲気のＡ／Ｆをリッチ−リーン間で周期的に振幅させ、その際の触媒の排出側に取り付けたＯ２センサーの挙動遅れから酸素吸放出量を算出した。
（４）ＮＯｘ浄化能評価
耐久試験後の触媒をエンジンに取り付け、入りガス温度を４００℃に設定し、入りガス雰囲気のＡ／Ｆをリッチ−リーン間で周期的に振幅させた際のＮＯｘ排出量を測定した。
【００４２】
４．結果
図２は、Ｐｒ添加パイロクロアＺＣのＦｒ−Ｐｔ層への添加量とＲｈのＤ９０粒子径の関係を示すグラフである。Ｐｒ添加パイロクロアＺＣの添加量の増加とともに、Ｒｈ粒子の粒子径増大が抑制されていることがわかる。
【００４３】
図３は、Ｐｒ添加パイロクロアＺＣのＦｒ−Ｐｔ層への添加量と触媒の酸素吸放出量の関係を示すグラフである。Ｐｒ添加パイロクロアＺＣの添加量の増加とともに、触媒の酸素吸放出能が向上していることがわかる。
【００４４】
図４は、Ｐｒ添加パイロクロアＺＣのＦｒ−Ｐｔ層への添加量と触媒からのＮＯｘ排出量の関係を示すグラフである。Ｐｒ添加パイロクロアＺＣの添加量が１０ｇ／Ｌまでの範囲で特にＮＯｘ排出量が大きく低下しており、これは酸素吸放出能の向上とＲｈ粒子の粒子径増大が抑制された結果であるものと推察された。
【図１】
0006034356.tif 000004
【図２】
0006034356.tif 000005
【図３】
0006034356.tif 000006
【図４】
0006034356.tif 000007